(57)【要約】【課題】プールなどの床を上昇下降させる、簡易な機構で操作性に優れ、スペースをとらずコンパクト性に優れ、さらには安定した長ストロークが得られる蛇腹式リフター及びリフト機構を提供する。【解決手段】被リフト物を支持するリフト面１と、床面に当接する支持面２と、前記リフト面と支持面との間に設けられ、前記リフト面を上昇するように、流体によって膨張可能な蛇腹状袋体３を備えたことを特徴とする蛇腹式リフターおよびそのリフターを使用したリフト機構である。【効果】リフト面と支持面との間に設けられた蛇腹状袋体の中にエアあるいは水などの流体を導入して膨張させ、前記リフト面に支持された床などの被リフト物を上昇させることができるので、簡易な機構で操作性に優れ、コンパクト性に優れ、さらには安定した長ストロークが得られるとともに、既存のプールなどの設備であっても容易に設置可能であるという利点がある。【選択図】  図１
2004149248.tif 000002
【特許請求の範囲】
【請求項１】
被リフト物を支持するリフト面と、床などに当接する支持面と、前記リフト面と支持面との間に設けられ、前記リフト面を上昇するように、流体によって膨張可能な蛇腹状袋体を備えたことを特徴とする蛇腹式リフター。
【請求項２】
前記蛇腹状袋体は複数積層されていることを特徴とする請求項１記載の蛇腹式リフター。
【請求項３】
前記複数の蛇腹状袋体はそれぞれ独立して膨張可能であることを特徴とする請求項２記載の蛇腹式リフター。
【請求項４】
前記支持面側の蛇腹状袋体が他の蛇腹状袋体より大寸法であることを特徴とする請求項２または３記載の蛇腹式リフター。
【請求項５】
前記蛇腹状袋体の上部及び下部に回動自在にアームを一方の端部で固定し、前記アームの他方の端部を相互に回動自在に設けたアーム機構を備え、前記アーム機構は前記蛇腹状袋体がほぼ完全に膨張したときに、回動を阻止するストッパを備えていることを特徴とする請求項１から４のいずれか１項記載の蛇腹式リフター。
【請求項６】
被リフト物を支持するリフト面と、床などに当接する支持面と、前記リフト面と支持面との間に設けられ、前記リフト面を上昇するように、流体によって膨張可能な蛇腹状袋体を備えた蛇腹式リフターを複数被リフト物の下部に設け、被リフト物をリフトするようにしたことを特徴とするリフト機構。
【請求項７】
前記複数の蛇腹式リフターの蛇腹状袋体をそれぞれ連通させたことを特徴とする請求項６記載のリフト機構。
【請求項８】
前記蛇腹式リフターの前記蛇腹状袋体はそれぞれ複数積層されており、対応する段数同志が連通していることを特徴とする請求項７記載のリフト機構。
【発明の詳細な説明】
【０００１】
【発明の属する技術分野】
本発明は、蛇腹式リフター及びリフト機構に関し、特に、例えば床を持上げるための蛇腹式リフター及びリフト機構に関する。
【０００２】
【従来の技術】
例えばプールは、子供から大人まで使用することから、プールの深さが可変であることが望ましい。従来、このような深さが可変のプールは建設時に、プールの床を持ち上げる装置を組み込んでいた。しかしながら、既存の一定の深さのプールの深さを可変にしようとする場合、大規模な工事を行って前述のような装置を組み込むか、単に底上げした床をプールの底に沈めるしか方法がなかった。
【０００３】
前者の場合には、工事が大掛かりで、費用がかかるという欠点があり、後者の場合には、費用の面では安価であるが、プールの深さを変えるときには、前記床を沈めたり、取り外したりする必要があり、手間と労力が大きいという欠点がある。
【０００４】
さらに、既存の建物において、床に段差がある場合は、車椅子の走行が阻害される。このような場合、スロープを設けることが考えられるが、狭小でスロープが設けられない場合もある。
【０００５】
【発明が解決しようとする課題】
このような実状に基づき本発明はなされたものであり、その目的は、プールなどの床を上昇下降させる、簡易な機構で操作性に優れ、スペースをとらずコンパクト性に優れ、さらには安定した長ストロークが得られる蛇腹式リフター及びリフト機構を提供することにある。
【０００６】
【課題を解決するための手段】
上記の課題を解決するために、本発明は、被リフト物を支持するリフト面と、床面に当接する支持面と、前記リフト面と支持面との間に設けられ、前記リフト面を上昇するように、流体によって膨張可能な蛇腹状袋体を備えたことを特徴とする。
【０００７】
また、本発明によるリフト機構は、被リフト物を支持するリフト面と、床などに当接する支持面と、前記リフト面と支持面との間に設けられ、前記リフト面を上昇するように、流体によって膨張可能な蛇腹状袋体を備えた蛇腹式リフターを複数被リフト物の下部に設け、被リフト物をリフトするようにしたことを特徴とする。
【０００８】
本発明によれば、リフト面と支持面との間に設けられた蛇腹状袋体の中にエアあるいは水などの流体を導入して膨張させ、前記リフト面に支持された床などの被リフト物を上昇させることができるので、簡易な機構で操作性に優れ、コンパクト性に優れ、さらには安定した長ストロークが得られるとともに、既存のプールなどの設備であっても容易に設置可能であるという利点がある。
【０００９】
【実施例】
図１は本発明による蛇腹式リフターの蛇腹状袋体が膨張したときの断面図であり、図２は前記一部膨張途中の前記蛇腹式リフターの側面図である。これらの図より明らかなように、本発明による蛇腹式リフターは、被リフター物Ｍを支持するためのリフト面１と床などと当接し、前記蛇腹式リフター全体を支持する支持面２を備え、前記リフト面１と前記支持面２間に膨張可能な蛇腹状袋体３を備えた構造になっている。
【００１０】
この実施例において、蛇腹状袋体３は３個積層して設けられており、前記それぞれの蛇腹状袋体３に、エアあるいは水などの流体を注入排出可能な注排口３１が設けられた構造になっている。すなわち蛇腹状袋体３は独立した部屋を形成しており、前記注排口３１によって、それぞれ独立して膨張可能になっている。この実施例においては、蛇腹状袋体３は独立室を構成しているが、相互に連通していてもよい。この場合、単一の注排口によって、複数の蛇腹状袋体３を膨張可能である。しかしながら被リフト物が床である場合、蛇腹状袋体３がほぼ完全に膨張していないときには、ふわふわして使用に耐えられないことが多い。したがって、このような場合には流体の量によってストロークを調整することができないため、完全に収縮した場合と３個の蛇腹状袋体３がほぼ完全に膨張した場合の２ストロークしか得られない。しかしながら、この実施例のように独立室にすることによって、１個の蛇腹状袋体が膨張した場合、２個の蛇腹状袋体が膨張した場合、３個の蛇腹状袋体が膨張した場合および完全に収縮した場合の４個のストロークを得ることができ、極めて有利である。
【００１１】
前記リフト面１には被リフト物Ｍを確実にリフト可能なように、金属製のリフト補強板１１が埋設されており、一方前記支持面２にも金属製の支持補強板２１が埋設されている。さらに前記蛇腹状袋体３の上昇方向の相互の接合面に同様の金属製の補強板３２が設けられている。
【００１２】
この実施例においては、支持面２に隣接する蛇腹状袋体３は、他の蛇腹状袋体３に比べて若干大寸法になっており、床などに安定して設置できるようになっている。
【００１３】
この実施例においては図２に示すように蛇腹状袋体３の補強板３２間（蛇腹状袋体の上部及び下部間）、あるいは前記補強板３２と支持補強板２１間（蛇腹状袋体の上部及び下部間）、さらには前記補強板３２とリフト補強板１１間（蛇腹状袋体の上部及び下部間）に回動自在のアーム機構４が設けられている。前記アーム機構４は支持板１１，２１，３２に回動自在に取り付けられた二本のアーム４１，４２を備え、さらに前記アーム４１，４２は相互に回動軸によって回動自在に固定されている。このようなアーム機構４を設けることによって、前記蛇腹状袋体３はリフト方向（図においては垂直方向）に安定して膨張することができ、蛇腹状袋体３がほぼ完全に膨張したときには、前記アーム機構４は伸び切って、ストッパ４３によってアーム４１，４２が回動しないように固定することにより、蛇腹状袋体３を安定した膨張状態に保持することが可能になる（図１の最上段左側参照）。
【００１４】
図３は、本発明による蛇腹式リフターでプールの床面Ｍを上昇させたときの図を示すものであり、図４はその場合の蛇腹式リフターＲの配置状況を示したものである。
【００１５】
これらの図より明らかなように、たとえば蛇腹式リフターＲは、プールＰの底Ｐ１に支持面２が当接するように設置され、リフト面１には床面Ｍが支持されている。この実施例においては、蛇腹式リフターＲは図４に示すように床面Ｍのほぼ四隅を支持するように設けられている。もちろん蛇腹式リフターＲの数および位置は、本発明において限定されるものではなく、機能的に定めることができる。
【００１６】
この実施例においては、第１段目、第２段目、第３段目の蛇腹状袋体３はそれぞれ連通するように構成されており、例えば第１段目にエアあるいは水などの流体を注入すると、４個の蛇腹式リフターＲの第１段目の蛇腹状袋体３が均一に膨張し、このため床面Ｍも安定して水平に上昇する。
【００１７】
この実施例においては、プールの深さは、１個の蛇腹状袋体が膨張した場合、２個の蛇腹状袋体が膨張した場合、３個の蛇腹状袋体が膨張した場合および完全に収縮した場合の４つの深さを選択することが可能である。
【００１８】
上述の実施例においては、蛇腹状袋体は３個であるが、蛇腹状袋体の寸法、数は本発明において限定されるものではなく、リフトすべき、たとえば床面Ｍの高さなどによって、機能的に定めることができる。
【００１９】
【発明の効果】
以上説明したように、本発明によれば、リフト面と支持面との間に設けられた蛇腹状袋体の中にエアあるいは水などの流体をを導入して膨張させ、前記リフト面に支持された床などの被リフト物を上昇させることができるので、簡易な機構で操作性に優れ、コンパクト性に優れ、さらには安定した長ストロークが得られるとともに、既存のプールなどの設備であっても容易に設置可能であるという利点がある。
【図面の簡単な説明】
【図１】本発明による蛇腹式リフターの蛇腹状袋体が膨張したときの断面図。
【図２】前記一部膨張途中の前記蛇腹式リフターの側面図
【図３】本発明による蛇腹式リフターの使用状態を示す説明図。
【図４】上記蛇腹式リフターの配置状況を示す説明図。
【符号の説明】
１            リフト面
２            支持面
３            蛇腹状袋体
４            アーム機構
Ｍ            被リフト物（床面）
Ｐ            プール
【図１】
2004149248.tif 000003
【図２】
2004149248.tif 000004
【図３】
2004149248.tif 000005
【図４】
2004149248.tif 000006